(57)【要約】【課題】のりしろ期間を調整することができる録画制御装置を提供する。【解決手段】録画制御装置１０は、一の番組の番組期間のうち、第１の記録媒体２３Ａと第２の記録媒体２３Ｂとの双方に録画させるのりしろ期間を算定するのりしろ期間算定部１７と、のりしろ期間算定部１７がのりしろ期間を算定した場合に、番組期間の少なくとも一部を対象として、第１の記録媒体２３Ａに録画させる、のりしろ期間を含む第１の録画期間と、第２の記録媒体２３Ｂに録画させる、のりしろ期間を含む第２の録画期間とを算定する録画期間算定部１８と、を備える。【選択図】図１
2019213089.tif 000002
【特許請求の範囲】
【請求項１】
一の番組の番組期間のうち、第１の記録媒体と第２の記録媒体との双方に録画させるのりしろ期間を算定するのりしろ期間算定部と、
前記のりしろ期間算定部が前記のりしろ期間を算定した場合に、前記番組期間の少なくとも一部を対象として、前記第１の記録媒体に録画させる、前記のりしろ期間を含む第１の録画期間と、前記第２の記録媒体に録画させる、前記のりしろ期間を含む第２の録画期間とを算定する録画期間算定部と、を備える
録画制御装置。
【請求項２】
前記のりしろ期間算定部は、前記一の番組の内容に基づいて、前記のりしろ期間の算定を行う
請求項１に記載の録画制御装置。
【請求項３】
前記一の番組の中から、所定の条件を満たすシーンを検出するシーン検出部を備え、
前記のりしろ期間算定部は、前記シーン検出部が、前記所定の条件を満たすシーンを検出した場合に、当該検出に基づいて、前記のりしろ期間の算定を行う
請求項２に記載の録画制御装置。
【請求項４】
前記のりしろ期間算定部は、前記検出に基づいて行う前記のりしろ期間の算定において、前記所定の条件を満たすシーンの検出時点を前記のりしろ期間の終了時点として、前記のりしろ期間の算定を行う
請求項３に記載の録画制御装置。
【請求項５】
前記のりしろ期間算定部は、前記検出に基づいて行う前記のりしろ期間の算定において、前記所定の条件を満たすシーンの検出時点を前記のりしろ期間の開始時点として、前記のりしろ期間の算定を行う
請求項３に記載の録画制御装置。
【請求項６】
前記所定の条件を満たすシーンは、無音区間を含むシーン、所定時間以上画面に変化がないシーン、所定時間以上字幕情報が更新されないシーン、字幕情報に、シーンの切り替えを示す特定の文字列が含まれるシーン、及び、所定の輝度に満たない画面を含むシーンのうちの少なくとも１つを含む
請求項３から５のいずれか１項に記載の録画制御装置。
【請求項７】
前記第１の記録媒体が録画可能な第１の録画可能期間と、前記第２の記録媒体が録画可能な第２の録画可能期間とを取得する録画可能期間取得部と、
前記第１の記録媒体と、前記第２の記録媒体との中に、前記一の番組を連続して録画可能な記録媒体が存在しない場合に、前記第１の録画可能期間と、前記第２の録画可能期間とに基づいて、前記一の番組を複数の期間に分割し、分割した期間のそれぞれを、前記第１の記録媒体と、前記第２の記録媒体とのいずれかに、録画の対象として割り当てる割り当て決定部とを備え、
前記割り当て決定部は、前記一の番組を、第１の期間と、当該第１の期間に続く第２の期間とに分割する場合に、当該第１の期間と当該第２の期間とに、互いに重複する初期のりしろ期間を含めて前記分割を行い、
前記のりしろ期間算定部は、前記初期のりしろ期間の中から、前記のりしろ期間の算定を行い、
前記録画期間算定部は、前記第１の期間の中から前記第１の録画期間を算定し、前記第２の期間の中から前記第２の録画期間を算定し、
前記割り当て決定部は、前記一の番組の分割数が最も少なくなるように、前記分割を行う
請求項１から請求項６のいずれか１項に記載の録画制御装置。
【請求項８】
前記第１の記録媒体が録画可能な第１の録画可能期間と、前記第２の記録媒体が録画可能な第２の録画可能期間と、第３の記録媒体が録画可能な第３の録画可能期間とを取得する録画可能期間取得部と、
前記第１の記録媒体と、前記第２の記録媒体と、前記第３の記録媒体との中に、前記一の番組を連続して録画可能な記録媒体が存在しない場合において、前記第１の録画可能期間と、前記第２の録画可能期間とに、所定時間よりも短い一の共通の期間が存在するときに、前記第１の録画可能期間と、前記第２の録画可能期間と、前記第３の録画可能期間とに基づいて、前記一の番組を、前記第１の記録媒体に録画の対象として割り当てる、前記第一の共通の期間を含む第１の期間と、前記第２の記録媒体に録画の対象として割り当てる、前記一の共通の期間を含む第２の期間と、前記第３の記録媒体に録画の対象として割り当てる、前記一の共通の期間を含み、長さが前記所定期間である第３の期間とに分割する割り当て決定部とを備え、
前記録画期間算定部は、前記第１の期間を前記第１の録画期間と算定し、前記第２の期間を前記第２の録画期間と算定し、前記第３の期間を、前記第３の記録媒体に記録させる第３の録画期間と算定する
請求項１から請求項６のいずれか１項に記載の録画制御装置。
【請求項９】
前記第１の記録媒体が録画可能な第１の録画可能期間と、前記第２の記録媒体が録画可能な第２の録画可能期間とを取得する録画可能期間取得部と、
過去に録画された番組に基づいて、前記一の番組において、所定の条件を満たすシーンが表れるであろう時間帯を推定し、当該推定した時間帯と、前記第１の録画可能期間と、前記第２の録画可能期間とに基づいて、前記一の番組を、前記第１の記録媒体に録画の対象として割り当てる第１の期間と、前記第２の記録媒体に録画の対象として割り当てる第２の期間とに分割する割り当て決定部を備え、
前記割り当て決定部は、第１の期間と第２の期間とに、重複する初期のりしろ期間を含めて前記分割を行い、
前記のりしろ期間算定部は、前記初期のりしろ期間の中から、前記のりしろ期間の算定を行い、
前記録画期間算定部は、前記第１の期間の中から、前記第１の録画期間の算定を行い、前記第２の期間の中から、前記第２の録画期間の算定を行う
請求項１に記載の録画制御装置。
【発明の詳細な説明】
【技術分野】
【０００１】
本発明は、番組の録画を制御する録画制御装置に関する。
【背景技術】
【０００２】
従来、一の番組を複数の記録媒体に分割して録画する技術が知られている。
【０００３】
例えば、特許文献１、特許文献２、特許文献３には、分割した番組の切れ目をスムーズに再生することが可能となるように、第１の記録媒体の録画期間と、第２の記録媒体の録画期間との双方に、重複して録画するのりしろ期間を含ませる技術が記載されている。
【先行技術文献】
【特許文献】
【０００４】
【特許文献１】特開２００５−０１８９７９号公報
【特許文献２】特開２００５−１７４３９０号公報
【特許文献３】特開２００３−１９９０１２号公報
【発明の概要】
【発明が解決しようとする課題】
【０００５】
しかしながら、従来の技術では、のりしろ期間を調整することができない。このため、のりしろ期間を調整することができる録画制御装置が求められている。
【課題を解決するための手段】
【０００６】
上記目的を達成するために、本発明の一態様に係る録画制御装置は、一の番組の番組期間のうち、第１の記録媒体と第２の記録媒体との双方に録画させるのりしろ期間を算定するのりしろ期間算定部と、前記のりしろ期間算定部が前記のりしろ期間を算定した場合に、前記番組期間の少なくとも一部を対象として、前記第１の記録媒体に録画させる、前記のりしろ期間を含む第１の録画期間と、前記第２の記録媒体に録画させる、前記のりしろ期間を含む第２の録画期間とを算定する録画期間算定部と、を備える。
【０００７】
上記構成の録画制御装置によると、のりしろ期間を調整することができる。
【０００８】
例えば、前記のりしろ期間算定部は、前記一の番組の内容に基づいて、前記のりしろ期間の算定を行うであってもよい。
【０００９】
これにより、分割の対象となる番組の内容に応じてのりしろ期間を算定することが可能となる。
【００１０】
例えば、前記一の番組の中から、所定の条件を満たすシーンを検出するシーン検出部を備え、前記のりしろ期間算定部は、前記シーン検出部が、前記所定の条件を満たすシーンを検出した場合に、当該検出に基づいて、前記のりしろ期間の算定を行うであってもよい。
【００１１】
これにより、分割の対象となる番組のシーンに応じてのりしろ期間を算定することが可能となる。
【００１２】
例えば、前記のりしろ期間算定部は、前記検出に基づいて行う前記のりしろ期間の算定において、前記所定の条件を満たすシーンの検出時点を前記のりしろ期間の終了時点として、前記のりしろ期間の算定を行うであってもよい。
【００１３】
これにより、分割の対象となる番組のシーンに応じてのりしろ期間の終了時点を算定することが可能となる。
【００１４】
例えば、前記のりしろ期間算定部は、前記検出に基づいて行う前記のりしろ期間の算定において、前記所定の条件を満たすシーンの検出時点を前記のりしろ期間の開始時点として、前記のりしろ期間の算定を行うであってもよい。
【００１５】
これにより、分割の対象となる番組のシーンに応じてのりしろ期間の開始時点を算定することが可能となる。
【００１６】
例えば、前記所定の条件を満たすシーンは、無音区間を含むシーン、所定時間以上画面に変化がないシーン、所定時間以上字幕情報が更新されないシーン、字幕情報に、シーンの切り替えを示す特定の文字列が含まれるシーン、及び、所定の輝度に満たない画面を含むシーンのうちの少なくとも１つを含むであってもよい。
【００１７】
これにより、再生された番組を視聴する視聴者が覚える違和感を低減することが可能となる。
【００１８】
例えば、前記第１の記録媒体が録画可能な第１の録画可能期間と、前記第２の記録媒体が録画可能な第２の録画可能期間とを取得する録画可能期間取得部と、前記第１の記録媒体と、前記第２の記録媒体との中に、前記一の番組を連続して録画可能な記録媒体が存在しない場合に、前記第１の録画可能期間と、前記第２の録画可能期間とに基づいて、前記一の番組を複数の期間に分割し、分割した期間のそれぞれを、前記第１の記録媒体と、前記第２の記録媒体とのいずれかに、録画の対象として割り当てる割り当て決定部とを備え、前記割り当て決定部は、前記一の番組を、第１の期間と、当該第１の期間に続く第２の期間とに分割する場合に、当該第１の期間と当該第２の期間とに、互いに重複する初期のりしろ期間を含めて前記分割を行い、前記のりしろ期間算定部は、前記初期のりしろ期間の中から、前記のりしろ期間の算定を行い、前記録画期間算定部は、前記第１の期間の中から前記第１の録画期間を算定し、前記第２の期間の中から前記第２の録画期間を算定し、前記割り当て決定部は、前記一の番組の分割数が最も少なくなるように、前記分割を行うであってもよい。
【００１９】
これにより、第１の記録媒体と第２の記録媒体とを用いて行う一の番組の録画において、のりしろ期間の数を最も少なくすることが可能となる。
【００２０】
例えば、前記第１の記録媒体が録画可能な第１の録画可能期間と、前記第２の記録媒体が録画可能な第２の録画可能期間と、第３の記録媒体が録画可能な第３の録画可能期間とを取得する録画可能期間取得部と、前記第１の記録媒体と、前記第２の記録媒体と、前記第３の記録媒体との中に、前記一の番組を連続して録画可能な記録媒体が存在しない場合において、前記第１の録画可能期間と、前記第２の録画可能期間とに、所定時間よりも短い一の共通の期間が存在するときに、前記第１の録画可能期間と、前記第２の録画可能期間と、前記第３の録画可能期間とに基づいて、前記一の番組を、前記第１の記録媒体に録画の対象として割り当てる、前記第一の共通の期間を含む第１の期間と、前記第２の記録媒体に録画の対象として割り当てる、前記一の共通の期間を含む第２の期間と、前記第３の記録媒体に録画の対象として割り当てる、前記一の共通の期間を含み、長さが前記所定期間である第３の期間とに分割する割り当て決定部とを備え、前記録画期間算定部は、前記第１の期間を前記第１の録画期間と算定し、前記第２の期間を前記第２の録画期間と算定し、前記第３の期間を、前記第３の記録媒体に記録させる第３の録画期間と算定するであってもよい。
【００２１】
これにより、第１の記録媒体の録画可能期間と、第２の記録媒体の録画可能期間とに、のりしろ期間として十分でない可能性がある長さの共通の期間しか存在しない場合に、第３の記録媒体に、のりしろ期間として利用可能な期間の録画を行うことが可能となる。
【００２２】
例えば、前記第１の記録媒体が録画可能な第１の録画可能期間と、前記第２の記録媒体が録画可能な第２の録画可能期間とを取得する録画可能期間取得部と、過去に録画された番組に基づいて、前記一の番組において、所定の条件を満たすシーンが表れるであろう時間帯を推定し、当該推定した時間帯と、前記第１の録画可能期間と、前記第２の録画可能期間とに基づいて、前記一の番組を、前記第１の記録媒体に録画の対象として割り当てる第１の期間と、前記第２の記録媒体に録画の対象として割り当てる第２の期間とに分割する割り当て決定部を備え、前記割り当て決定部は、第１の期間と第２の期間とに、重複する初期のりしろ期間を含めて前記分割を行い、前記のりしろ期間算定部は、前記初期のりしろ期間の中から、前記のりしろ期間の算定を行い、前記録画期間算定部は、前記第１の期間の中から、前記第１の録画期間の算定を行い、前記第２の期間の中から、前記第２の録画期間の算定を行うであってもよい。
【００２３】
これにより、過去の番組の内容に応じてのりしろ期間を算定することが可能となる。
【００２４】
なお、本発明は、このような特徴的な処理部を備える録画制御装置として実現することができるだけでなく、録画制御装置に含まれる特徴的な処理部が実行する処理をステップとする録画制御方法として実現することができる。また、録画制御装置に含まれる特徴的な処理部としてコンピュータを機能させるためのプログラムまたは録画制御方法に含まれる特徴的なステップをコンピュータに実行させるプログラムとして実現することもできる。そして、そのようなプログラムを、ＣＤ−ＲＯＭ（Ｃｏｍｐａｃｔ  Ｄｉｓｃ−Ｒｅａｄ  Ｏｎｌｙ  Ｍｅｍｏｒｙ）等のコンピュータ読み取り可能な非一時的な記録媒体やインターネット等の通信ネットワークを介して流通させることができるのは、言うまでもない。
【発明の効果】
【００２５】
本発明によると、のりしろ期間を調整することができる。
【図面の簡単な説明】
【００２６】
【図１】図１は、実施の形態１に係る録画システムの構成を示すブロック図である。
【図２】図２は、実施の形態１に係る録画システムが、住宅内に設置されて利用される様子の一具体例を示す模式図である。
【図３】図３は、実施の形態１に係る割り当て決定部が、一の番組の予約録画を行う期間を、複数の記録媒体に割り当てる様子の一例を示す模式図である。
【図４】図４は、実施の形態１に係るのりしろ期間算定部が、のりしろ期間を算定する様子の一例を示す模式図である。
【図５】図５は、分割されて録画された番組が、シームレスに再生される様子の一例を示す模式図である。
【図６】図６は、実施の形態２に係る録画システムの構成を示すブロック図である。
【図７】図７は、実施の形態３に係る録画システムの構成を示すブロック図である。
【図８】図８は、実施の形態４に係る録画システムの構成を示すブロック図である。
【図９】図９は、実施の形態４に係るのりしろ期間算定部が、のりしろ期間を算定する様子の一例を示す模式図である。
【図１０】図１０は、分割されて録画された番組が、シームレスに再生される様子の一例を示す模式図である。
【図１１】図１１は、予約録画番組と録画可能期間との関係を示す模式図である。
【図１２】図１２は、予約録画番組を３つの録画期間に分割して録画させる様子の一例を示す模式図である。
【図１３】図１３は、録画予約番組を４つの録画期間に分割して録画させる様子の一例を示す模式図である。
【図１４】図１４は、実施の形態６に係る録画システムの構成を示すブロック図である。
【図１５】図１５は、実施の形態６に係る割り当て決定部が、一の番組の予約録画を行う期間を、複数の記録媒体に割り当てる様子の一例を示す模式図である。
【発明を実施するための形態】
【００２７】
以下、本発明の実施の形態について、図面を用いて詳細に説明する。なお、以下で説明する実施の形態は、いずれも包括的または具体的な例を示すものである。以下の実施の形態で示される数値、形状、材料、構成要素、構成要素の配置位置及び接続形態などは、一例であり、本発明を限定する主旨ではない。また、以下の実施の形態における構成要素のうち、独立請求項に記載されていない構成要素については、任意の構成要素として説明される。
【００２８】
（実施の形態１）
［録画システムの構成］
図１は、実施の形態１に係る録画システム１の構成を示すブロック図である。
【００２９】
図１に示されるように、録画システム１は、録画制御装置１０と、第１の録画再生機２０Ａと、第２の録画再生機２０Ｂと、第３の録画再生機２０Ｃと、ネットワーク３０とを含んで構成される。
【００３０】
図２は、録画システム１が、住宅内に設置されて利用される様子の一具体例を示す模式図である。
【００３１】
図２に示されるように、例えば、第１の録画再生機２０Ａは、自室に設置され、第２の録画再生機２０Ｂは、リビングに設置され、第３の録画再生機２０Ｃは、寝室に設置され、録画制御装置１０は、録画システム１を利用するユーザにより、各部屋を移動可能に携帯される。ネットワーク３０は、例えば、録画制御装置１０と、第１の録画再生機２０Ａと、第２の録画再生機２０Ｂと、第３の録画再生機２０Ｃとに、無線又は有線にて通信可能なアクセスポイント４０を利用して実現される。また、例えば、第１の録画再生機２０Ａと、第２の録画再生機２０Ｂと、第３の録画再生機２０Ｃとは、ブルーレイ（登録商標）レコーダ、又はＤＶＤレコーダであってよい。また、例えば、第１の録画再生機２０Ａと、第２の録画再生機２０Ｂと、第３の録画再生機２０Ｃとは、再生する番組を表示することができるディスプレイに接続されていてよい。また、例えば、録画制御装置１０は、スマートフォン、又はタブレット型情報端末であってもよい。
【００３２】
図１に示されるように、第１の録画再生機２０Ａは、受信部２１Ａと、録画部２２Ａと、第１の記録媒体２３Ａと、制御部２４Ａと、再生部２５Ａと、通信部２６Ａとを含んで構成される。
【００３３】
受信部２１Ａは、放送されている番組を受信する。受信部２１Ａは、例えば、地上波デジタルテレビ放送を受信する受信機を備え、地上波デジタルテレビ放送を利用して配信される番組を受信するとしてもよい。また、受信部２１Ａは、例えば、衛星放送を受信する受信機を備え、衛星放送を利用して配信される番組を受信するとしてもよい。また、受信部２１Ａは、例えば、ケーブルテレビ放送を受信する受信機を備え、ケーブルテレビ放送を利用して配信される番組を受信するとしてもよい。また、受信部２１Ａは、例えば、インターネットテレビ放送を受信する受信機を備え、インターネットテレビ放送を利用して配信される番組を受信するとしてもよい。
【００３４】
第１の記録媒体２３Ａは、受信部２１Ａによって受信された番組を録画する記録媒体である。第１の記録媒体２３Ａは、例えば、第１の録画再生機２０Ａに内蔵されたハードディスクであってもよい。また、第１の記録媒体２３Ａは、例えば、第１の録画再生機２０Ａに着脱可能なブルーレイディスク（登録商標）であってもよい。また、第１の記録媒体２３Ａは、例えば、第１の録画再生機２０Ａに着脱可能なＤＶＤディスクであってもよい。また、第１の記録媒体２３Ａは、例えば、第１の録画再生機２０Ａに着脱可能なＵＳＢメモリであってもよい。
【００３５】
通信部２６Ａは、ネットワーク３０に接続され、ネットワーク３０に接続される他の機器と通信する。他の機器には、録画制御装置１０、第２の録画再生機２０Ｂ、第３の録画再生機２０Ｃが含まれる。通信部２６Ａは、例えば、無線通信機を備え、無線を利用してネットワーク３０に接続されるとしてもよい。また、通信部２６Ａは、例えば、有線通信機を備え、有線を利用してネットワーク３０に接続されるとしてもよい。
【００３６】
録画部２２Ａは、受信部２１Ａによって受信された番組を、第１の記録媒体２３Ａに録画する。また、録画部２２Ａは、録画中の番組から、無音区間を検出する。そして、録画部２２Ａは、録画制御装置１０のシーン検出部１６（後述）に対して、無音区間を検出した旨を示す無音区間検出信号を送信する。録画部２２Ａは、例えば、専用ハードウエアにより実現されてもよいし、例えば、第１の録画再生機２０Ａがプロセッサとメモリとを備え、メモリに記憶されたプログラムをプロセッサが実行することで実現されてもよい。
【００３７】
再生部２５Ａは、第１の記録媒体２３Ａに録画された番組を再生する。再生部２５Ａは、例えば、専用ハードウエアにより実現されてもよいし、例えば、第１の録画再生機２０Ａがプロセッサとメモリとを備え、メモリに記憶されたプログラムをプロセッサが実行することで実現されてもよい。また、再生部２５Ａは、例えば、ディスプレイを備え、再生対象の番組をディスプレイに表示するとしてもよいし、外部のディスプレイに再生対象の番組を表示させるための再生信号を出力するとしてもよい。
【００３８】
制御部２４Ａは、受信部２１Ａと、録画部２２Ａと、第１の記録媒体２３Ａと、再生部２５Ａと、通信部２６Ａとを制御する。また、制御部２４Ａは、第１の記録媒体２３Ａが録画可能な録画可能期間を記憶する。ここで、録画可能期間とは、第１の記録媒体２３Ａへの番組の録画が予定されていない期間のことをいう。また、制御部２４Ａは、第１の記録媒体２３Ａが録画可能な録画可能容量を記憶する。ここで、録画可能容量とは、第１の記録媒体２３Ａの記憶容量のうち、既に番組の録画に利用されている記憶領域、及び録画が予定されている番組の録画に利用される記憶領域を除く記憶領域の容量のことをいう。また、制御部２４Ａは、第１の記録媒体２３Ａに過去に録画した番組のそれぞれについての番組録画情報を記憶する。ここで、番組録画情報には、番組名、録画開始時刻、録画終了時刻、無音区間時刻等の情報が含まれる。また、制御部２４Ａは、第１の記録媒体２３Ａを用いて行う、番組の予約録画を行う。制御部２４Ａは、例えば、専用ハードウエアにより実現されてもよいし、例えば、第１の録画再生機２０Ａがプロセッサとメモリとを備え、メモリに記憶されたプログラムをプロセッサが実行することで実現されてもよい。
【００３９】
第２の録画再生機２０Ｂは、受信部２１Ｂと、録画部２２Ｂと、第２の記録媒体２３Ｂと、制御部２４Ｂと、再生部２５Ｂと、通信部２６Ｂとを含んで構成される。ここで、受信部２１Ｂと、録画部２２Ｂと、第２の記録媒体２３Ｂと、制御部２４Ｂと、再生部２５Ｂと、通信部２６Ｂとは、それぞれ、受信部２１Ａと、録画部２２Ａと、第１の記録媒体２３Ａと、制御部２４Ａと、再生部２５Ａと、通信部２６Ａと同様の機能を有する。このため、ここでは、受信部２１Ｂと、録画部２２Ｂと、第２の記録媒体２３Ｂと、制御部２４Ｂと、再生部２５Ｂと、通信部２６Ｂとは、既に説明済みであるとして、これらの説明を省略する。
【００４０】
第３の録画再生機２０Ｃは、受信部２１Ｃと、録画部２２Ｃと、第３の記録媒体２３Ｃと、制御部２４Ｃと、再生部２５Ｃと、通信部２６Ｃとを含んで構成される。ここで、受信部２１Ｃと、録画部２２Ｃと、第３の記録媒体２３Ｃと、制御部２４Ｃと、再生部２５Ｃと、通信部２６Ｃとは、それぞれ、受信部２１Ａと、録画部２２Ａと、第１の記録媒体２３Ａと、制御部２４Ａと、再生部２５Ａと、通信部２６Ａと同様の機能を有する。このため、ここでは、受信部２１Ｃと、録画部２２Ｃと、第３の記録媒体２３Ｃと、制御部２４Ｃと、再生部２５Ｃと、通信部２６Ｃとは、既に説明済みであるとして、これらの説明を省略する。
【００４１】
以下では、第１の記録媒体２３Ａと、第２の記録媒体２３Ｂと、第３の記録媒体２３Ｃとを明示的に区別して説明する必要がない場合には、第１の記録媒体２３Ａと、第２の記録媒体２３Ｂと、第３の記録媒体２３Ｃとのことを、「記録媒体２３」と呼ぶこともある。また、制御部２４Ａと、制御部２４Ｂと、制御部２４Ｃとを明示的に区別して説明する必要がない場合には、制御部２４Ａと、制御部２４Ｂと、制御部２４Ｃとのことを、「制御部２４」と呼ぶこともある。また、録画部２２Ａと、録画部２２Ｂと、録画部２２Ｃとを明示的に区別して説明する必要がない場合には、録画部２２Ａと、録画部２２Ｂと、録画部２２Ｃとのことを、「録画部２２」と呼ぶこともある。また、第１の録画再生機２０Ａと、第２の録画再生機２０Ｂと、第３の録画再生機２０Ｃとを明示的に区別して説明する必要がない場合には、第１の録画再生機２０Ａと、第２の録画再生機２０Ｂと、第３の録画再生機２０Ｃとのことを、「録画再生機２０」と呼ぶこともある。
【００４２】
録画制御装置１０は、制御部１１と、入出力部１２と、割り当て決定部１３と、録画可能期間取得部１４と、通信部１５と、シーン検出部１６と、のりしろ期間算定部１７と、録画期間算定部１８と、連続再生部１９とを含んで構成される。
【００４３】
入出力部１２は、録画システム１を利用するユーザからの入力を受け付ける。また、入出力部１２は、録画システム１を利用するユーザへの出力を行う。入出力部１２は、例えば、タッチパネルを備え、録画システム１を利用するユーザによるタッチ操作による入力を受け付け、録画システム１を利用するユーザへの画像による出力を行うとしてもよい。また、入出力部１２は、例えば、キーボードとマイクとスピーカとを備え、録画システム１を利用するユーザによるキー操作による入力、又は音声による入力を受け付け、録画システム１を利用するユーザへの音声による出力を行うとしてもよい。入出力部１２は、例えば、録画システム１を利用するユーザから、番組の予約録画を受け付ける。番組の予約録画の受け付けは、例えば、録画開始時刻と録画終了時刻と放送チャンネルとを受け付けることで行われてもよいし、番組を特定する番組特定コードの入力を受け付けることで行われてもよい。入出力部１２は、例えば、録画システム１を利用するユーザから、番組の再生を受け付ける。番組の再生の受け付けは、例えば、録画開始時刻と録画終了時刻と放送チャンネルとを受け付けることで行われてもよいし、番組を特定する番組特定コードの入力を受け付けることで行われてもよい。
【００４４】
通信部１５は、ネットワーク３０に接続され、ネットワーク３０に接続される他の機器と通信する。他の機器には、第１の録画再生機２０Ａ、第２の録画再生機２０Ｂ、第３の録画再生機２０Ｃが含まれる。通信部１５は、例えば、無線通信機を備え、無線を利用してネットワーク３０に接続されるとしてもよい。また、通信部１５は、例えば、有線通信機を備え、有線を利用してネットワーク３０に接続されるとしてもよい。
【００４５】
録画可能期間取得部１４は、制御部２４Ａから、第１の記録媒体２３Ａが録画可能な第１の録画可能期間と、第１の記録媒体２３Ａが録画可能な第１の録画可能容量とを取得し、制御部２４Ｂから、第２の記録媒体２３Ｂが録画可能な第２の録画可能期間と、第２の記録媒体２３Ｂが録画可能な第２の録画可能容量とを取得し、制御部２４Ｃから、第３の記録媒体２３Ｃが録画可能な第３の録画可能期間と、第３の記録媒体２３Ｃが録画可能な第３の録画可能容量とを取得する。録画可能期間取得部１４は、例えば、専用ハードウエアにより実現されてもよいし、例えば、録画制御装置１０がプロセッサとメモリとを備え、メモリに記憶されたプログラムをプロセッサが実行することで実現されてもよい。
【００４６】
割り当て決定部１３は、入出力部１２によって、番組の予約録画が受け付けられると、第１の記録媒体２３Ａと、第２の記録媒体２３Ｂと、第３の記録媒体２３Ｃとを対象として、予約録画の対象となる番組（以下、「予約録画番組」と呼ぶ。）の予約録画を行う期間の割り当てを行う。割り当て決定部１３は、上記割り当てを、録画可能期間取得部１４によって取得された、第１の録画可能期間と、第２の録画可能期間と、第３の録画可能期間とに基づいて行う。さらに、割り当て決定部１３は、第１の録画可能容量と、第２の録画可能容量と、第３の録画可能容量とにも基づいて行ってもよい。割り当て決定部１３は、予約録画番組を連続して録画可能な記録媒体２３が存在する場合には、予約録画番組の開始時刻から終了時刻までの期間の全期間を、その記録媒体２３に割り当てる。割り当て決定部１３は、予約録画番組を連続して録画可能な記録媒体２３が存在しない場合において、予約録画番組を複数の期間に分割して、複数の記録媒体２３に割り当てることが可能な場合には、予約録画番組を複数の期間に分割し、分割した期間のそれぞれを、複数の記録媒体２３に割り当てる。割り当て決定部１３は、予約録画番組の分割方法が複数存在する場合には、最も分割数が少なくなるように上記割り当てを行う。すなわち、割り当て決定部１３は、第１の録画可能期間と、第２の録画可能期間と、第３の録画可能期間とに基づいて、一の番組を、第１の記録媒体２３Ａに録画の対象として割り当てる期間（以下、「第１の期間」とも呼ぶ。）と、第２の記録媒体２３Ｂに録画の対象として割り当てる期間（以下、「第２の期間」とも呼ぶ。）と、第３の記録媒体２３Ｃに録画の対象として割り当てる期間（以下、「第３の期間」とも呼ぶ。）とに分割する場合には、一の番組の分割数が最も少なくなるように分割する。この際、割り当て決定部１３は、予約録画番組を第１の期間と、それに続く第２の期間とに分割する場合には、第１の期間の最後の部分と、第２の期間の最初の部分とに、互いに重複して録画する初期のりしろ期間を含めて分割する。実施の形態１において、この初期のりしろ期間の長さは、予めＴ１（例えば、１０分）と定められている。
【００４７】
図３は、割り当て決定部１３が、一の予約録画番組の予約録画を行う期間を、複数の記録媒体２３に割り当てる様子の一例を示す模式図である。図３に示される例では、予約録画番組は、番組開始時刻が１３：００で、番組終了時刻が１４：００となる１時間番組である。
【００４８】
図３に示されるように、第１の記録媒体２３Ａと、第２の記録媒体２３Ｂと、第３の記録媒体２３Ｃとのいずれも、予約録画番組を連続して録画することができない。このため、割り当て決定部１３は、予約録画番組の録画を行う期間を、第１の初期録画期間３０１（１３：００〜１３：４０の期間）と、第２の初期録画期間３０２（１３：３０〜１４：００の期間）とに分割して、それぞれを、第１の記録媒体２３Ａと、第２の記録媒体２３Ｂとに割り当てる。この際、割り当て決定部１３は、第１の初期録画期間３０１の最後のＴ１期間（１０分間）と、第２の初期録画期間３０２の最初のＴ１期間（１０分間）とに、互いに重複して録画する初期のりしろ期間（１３：３０〜１３：４０の期間）を含めて、録画を行う期間の分割を行う。
【００４９】
再び図１に戻って、録画制御装置１０の構成についての説明を続ける。
【００５０】
割り当て決定部１３は、予約録画番組の録画を行う期間の割り当てを行うと、割り当てられた記録媒体２３を含む録画再生機２０に含まれる制御部２４のそれぞれに対して、割り当てた期間を示す初期割り当て期間情報を送信する。初期割り当て期間情報を受信した各制御部２４は、予約録画番組の番組期間のうち、初期割り当て期間情報によって示される期間分の予約録画を行う。
【００５１】
シーン検出部１６は、第１の録画再生機２０Ａと、第２の録画再生機２０Ｂと、第３の録画再生機２０Ｃとにおいて録画中の番組の中から、所定の条件を満たすシーンを検出する。実施の形態１において、所定の条件を満たすシーンは、無音区間を含むシーンである。シーン検出部１６は、録画部２２から送信される無音区間検出信号を受信することで、所定の条件を満たすシーンを検出する。一般に、番組において、ＣＭが開始されるタイミングに無音となる。このため、シーン検出部１６は、実質的に、番組の中から、ＣＭが開始されるシーンを検出する。
【００５２】
のりしろ期間算定部１７は、予約録画番組の番組期間のうち、一の記録媒体２３と、他の一の記録媒体２３との双方に録画させるのりしろ期間を算定する。実施の形態１において、のりしろ期間算定部１７は、録画の対象とする予約録画番組の内容に基づいて、のりしろ期間の算定を行う。より具体的には、のりしろ期間算定部１７は、シーン検出部１６が、初期のりしろ期間中において、所定の条件を満たすシーンを検出した場合に、その検出に基づいて、そのシーンの検出時点をのりしろ期間の終了時点として、のりしろ期間の算定を行う。
【００５３】
図４は、のりしろ期間算定部１７が、一の予約録画番組の番組期間のうち、第１の記録媒体２３Ａと、第２の記録媒体２３Ｂとの双方に録画させるのりしろ期間を算定する様子の一例を示す模式図である。図４に示される例は、割り当て決定部１３によって、一の予約録画番組の録画を行う期間が、第１の初期録画期間３０１（１３：００〜１３：４０の期間）と、第２の初期録画期間３０２（１３：３０〜１４：００の期間）とに分割されて、それぞれが、第１の記録媒体２３Ａと、第２の記録媒体２３Ｂとに割り当てられている場合に、シーン検出部１６が、初期のりしろ期間（１３：３０〜１３：４０の期間）中において、無音区間を含むシーン（１３：３５の時点）を検出したときの例となっている。
【００５４】
図４に示されるように、初期のりしろ期間中の１３：３５に、シーン検出部１６によって、無音区間を含むシーン、すなわち、実質的にＣＭが開始されるシーンが検出されると、のりしろ期間算定部１７は、そのシーンの検出時点である１３：３５をのりしろ期間の終了時点として、のりしろ期間の算定を行う。すなわち、のりしろ期間算定部１７は、初期のりしろ期間の開始時点である１３：３０から、実質的にＣＭが開始されるシーンが検出された時点である１３：３５までを、のりしろ期間（１３：３０〜１３：３５の期間）として算定する。
【００５５】
再び図１に戻って、録画制御装置１０の構成についての説明を続ける。
【００５６】
のりしろ期間算定部１７は、上記のりしろ期間の算定を、第１の記録媒体２３Ａと第２の記録媒体２３Ｂとの組み合わせ、第２の記録媒体２３Ｂと第３の記録媒体２３Ｃとの組み合わせ、及び、第３の記録媒体２３Ｃと第１の記録媒体２３Ａとの組み合わせのそれぞれについて行う。すなわち、のりしろ期間算定部１７は、第１の記録媒体２３Ａと第２の記録媒体２３Ｂとの組み合わせにおける初期のりしろ期間の中から、第１の記録媒体２３Ａと第２の記録媒体２３Ｂとの双方に録画させる第１ののりしろ期間の算定を行い、第２の記録媒体２３Ｂと第３の記録媒体２３Ｃとの組み合わせにおける初期のりしろ期間の中から、第２の記録媒体２３Ｂと第３の記録媒体２３Ｃとの双方に録画させる第２ののりしろ期間の算定を行い、第３の記録媒体２３Ｃと第１の記録媒体２３Ａとの組み合わせにおける初期のりしろ期間の中から、第３の記録媒体２３Ｃと第１の記録媒体２３Ａとの双方に録画させる第３ののりしろ期間の算定を行う。
【００５７】
録画期間算定部１８は、のりしろ期間算定部１７がのりしろ期間を算定した場合に、予約録画番組の少なくとも一部を対象として、一の記録媒体２３に録画させる、のりしろ期間を録画期間の最後の部分に含む一の録画期間と、他の一の記録媒体２３に録画させる、のりしろ期間を録画期間の最初の部分に含む他の一の録画期間とを算定する。そして、録画期間算定部１８は、一の録画期間の終了時点を算定すると、一の記録媒体２３を含む録画再生機２０に含まれる制御部２４に対して、現在一の記録媒体２３で行っている録画を停止させる旨を示す録画停止信号を送信する。録画停止信号を受信すると、制御部２４は、現在一の記録媒体２３で行っている録画を停止させる。この停止により、一の録画期間の録画が終了する。
【００５８】
図４に示される例において、録画期間算定部１８は、第１の初期録画期間３０１の開始時点（１３：００）からのりしろ期間の終了時点（１３：３５）までの期間を、第１の記録媒体２３Ａに録画させる第１の録画期間３０１Ａ（１３：００〜１３：３５の期間）として算定し、第２の初期録画期間３０２の開始時点（１３：３０）から第２の初期録画期間３０２の終了時点（１４：００）までの期間、すなわち、第２の初期録画期間３０２そのものを、第２の記録媒体２３Ｂに録画させる第２の録画期間（１３：３０〜１４：００の期間）として算定する。
【００５９】
再び図１に戻って、録画制御装置１０の構成についての説明を続ける。
【００６０】
録画期間算定部１８は、上記録画期間の算定を、第１ののりしろ期間、第２ののりしろ期間、及び、第３ののりしろ期間のそれぞれについて行う。すなわち、録画期間算定部１８は、第１の期間の中から、第１ののりしろ期間と第３ののりしろ期間とを含む第１の録画期間の算定を行い、第２の期間の中から、第１ののりしろ期間と第２ののりしろ期間とを含む第２の録画期間の算定を行い、第３の期間の中から、第３の記録媒体に録画させる、第２ののりしろ期間と第３ののりしろ期間とを含む第３の録画期間を算定する。
【００６１】
録画期間算定部１８は、第１の録画期間の終了時点を算定すると、制御部２４Ａに対して、現在第１の記録媒体２３Ａで行っている録画を停止させる旨を示す録画停止信号を送信する。録画停止信号を受信すると、制御部２４Ａは、現在第１の記録媒体２３Ａで行っている録画を停止させる。この停止により、第１の録画期間の録画が終了する。また、録画期間算定部１８は、第２の録画期間の終了時点を算定すると、制御部２４Ｂに対して、現在第２の記録媒体２３Ｂで行っている録画を停止させる旨を示す録画停止信号を送信する。録画停止信号を受信すると、制御部２４Ｂは、現在第２の記録媒体２３Ｂで行っている録画を停止させる。この停止により、第２の録画期間の録画が終了する。また、録画期間算定部１８は、第３の録画期間の終了時点を算定すると、制御部２４Ｃに対して、現在第３の記録媒体２３Ｃで行っている録画を停止させる旨を示す録画停止信号を送信する。録画停止信号を受信すると、制御部２４Ｃは、現在第３の記録媒体２３Ｃで行っている録画を停止させる。この停止により、第３の録画期間の録画が終了する。
【００６２】
連続再生部１９は、入出力部１２によって、番組の再生が受け付けられると、その番組を録画した記録媒体２３を含む録画再生機２０に含まれる制御部２４に対して、その番組を再生させる再生信号を送信する。特に、連続再生部１９は、入出力部１２によって、複数の記録媒体２３に分割されて録画された番組の再生が受け付けられた場合には、その番組の一部分を録画した記録媒体２３を含む録画再生機２０に含まれる制御部２４のそれぞれに対して、その番組をシームレスに再生させる再生信号を送信する。より具体的は、連続再生部１９は、再生対象となる番組について、先行する第１の録画期間の部分が一の記録媒体２３に録画され、その先行する第１の録画期間に続いて後行する第２の録画期間の部分が他の一の記録媒体２３に録画されている場合に、先に、先行する第１の録画期間全体を再生し、次に、その再生に連続して、先行する第１の録画期間の最後のシーンの部分から、後行する第２の録画期間の部分を再生する旨を示す再生信号を、一の記録媒体２３を含む録画再生機２０に含まれる制御部２４と、他の一の記録媒体２３を含む録画再生機２０に含まれる制御部２４とに送信する。すると、再生信号を受信した各制御部２４は、再生対象となる番組がシームレスに再生されるように、自録画再生機２０に含まれる記録媒体２３に録画されている、その番組の録画部分を再生させる。この場合、再生する番組が、一の表示装置に表示されることが望ましい。例えば、第１の録画再生機２０Ａにディスプレイが接続されている場合には、そのディスプレイに、再生する番組が表示されてもよい。また、例えば、再生部２５Ａがディスプレイを備えている場合には、そのディスプレイに、再生する番組が表示されてもよい。また、例えば、入出力部１２がタッチパネルを備えている場合には、そのタッチパネルに、再生する番組が表示されてもよい。
【００６３】
図５は、一の番組が、先行する第１の録画期間３０１Ａ（１３：００〜１３：３５の期間）と、後行する第２の録画期間３０２Ａ（１３：３０〜１４：００の期間）とに分割されて、第１の録画期間３０１Ａの部分が第１の記録媒体２３Ａに録画され、第２の録画期間３０２Ａの部分が第２の記録媒体２３Ｂに録画された場合において、その一の番組がシームレスに再生される様子の一例を示す模式図である。図５に示されるように、一の番組は、まず、第１の録画期間３０１Ａ全体が再生され、次に、連続して、第２の録画期間３０２Ａのうち、第１の録画期間の最後のシーン（１３：３５の時点）の部分から、第２の録画期間３０２の最後のシーンの部分までが再生される。
【００６４】
再び図１に戻って、録画制御装置１０の構成についての説明を続ける。
【００６５】
制御部１１は、入出力部１２と、割り当て決定部１３と、録画可能期間取得部１４と、通信部１５と、シーン検出部１６と、のりしろ期間算定部１７と、録画期間算定部１８と、連続再生部１９とを制御する。制御部１１は、例えば、専用ハードウエアにより実現されてもよいし、例えば、録画制御装置１０がプロセッサとメモリとを備え、メモリに記憶されたプログラムをプロセッサが実行することで実現されてもよい。
【００６６】
［考察］
上記構成の録画制御装置１０によると、録画制御装置１０によって複数の記録媒体に分割され録画された番組がシームレスに再生される場合において、再生における記録媒体２３の切り替えが、無音区間が検出されたタイミング、すなわち、実質的にＣＭが開始されたタイミングで行われる。このため、この番組を視聴する視聴者は、再生における記録媒体２３の切り替え時に、例え映像が乱れたとしても、この番組に対して覚える違和感が低減される。また、録画制御装置１０によると、のりしろ期間を、予め定められた初期のりしろ期間Ｔ１よりも短い期間に調整することができる。このため、録画システム１は、第１の記録媒体２３Ａ、第２の記録媒体２３Ｂ、又は／及び、第３の記録媒体２３Ｃの記憶容量を、効率的に利用することができる。
【００６７】
（実施の形態２）
ここでは、実施の形態１に係る録画システム１から、その構成の一部が変更された、実施の形態２に係る録画システムについて説明する。
【００６８】
［録画システムの構成］
図６は実施の形態２に係る録画システム１Ａの構成を示すブロック図である。
【００６９】
図６に示されるように、録画システム１Ａは、実施の形態１に係る録画システム１から、録画部２２Ａが録画部２２２Ａに変更され、録画部２２Ｂが録画部２２２Ｂに変更され、録画部２２Ｃが録画部２２２Ｃに変更され、シーン検出部１６がシーン検出部１６２に変更され、のりしろ期間算定部１７がのりしろ期間算定部１７２に変更されている。また、これらの変更に伴い、第１の録画再生機２０Ａが第１の録画再生機２０２Ａに変更され、第２の録画再生機２０Ｂが第２の録画再生機２０２Ｂに変更され、第３の録画再生機２０Ｃが第３の録画再生機２０２Ｃに変更され、録画制御装置１０が録画制御装置１０２に変更されている。
【００７０】
以下では、録画部２２２Ａと、録画部２２２Ｂと、録画部２２２Ｃとを明示的に区別して説明する必要がない場合には、録画部２２２Ａと、録画部２２２Ｂと、録画部２２２Ｃとのことを「録画部２２２」と呼ぶこともある。
【００７１】
録画部２２２は、実施の形態１に係る録画部２２と同様に、録画中の番組から、無音区間を検出する。そして、録画部２２２は、シーン検出部１６２に対して、無音区間検出信号を出力する。さらに、録画部２２２は、所定時間以上画面に変化がないシーン（以下、「第１のシーン」とも呼ぶ。）、所定時間以上字幕情報が更新されないシーン（以下、「第２のシーン」とも呼ぶ。）、字幕情報に、シーンの切り替えを示す特定の文字列が含まれるシーン（以下、「第３のシーン」とも呼ぶ。）、及び、所定の輝度に満たない画面を含むシーン（以下、「第４のシーン」とも呼ぶ。）を検出する。そして、これらのシーンを検出すると、録画部２２２は、録画制御装置１０２のシーン検出部１６２に対して、特定のシーンを検出した旨を示す特定シーン検出信号を送信する。第１のシーン〜第４のシーンは、いずれも、番組の再生中において、例え、これらシーンのタイミングで映像が乱れたとしても、この番組を視聴する視聴者が、この番組に対して覚える違和感が比較的少ないシーンに該当する。録画部２２２は、これら第１のシーン〜第４のシーン以外の、番組を視聴する視聴者が、例え、映像が乱れたとしても、この番組を視聴する視聴者が、この番組に対して覚える違和感が比較的少ないシーンを検出して、シーン検出部１６２に対して、特定のシーンを検出した旨を示す特定シーン検出信号を送信するとしてもよい。
【００７２】
シーン検出部１６２は、第１の録画再生機２０２Ａと、第２の録画再生機２０２Ｂと、第３の録画再生機２０２Ｃとにおいて録画中の番組の中から、第１の所定の条件を満たすシーンと、第２の所定の条件を満たすシーンとを検出する。実施の形態２において、第１の所定の条件を満たすシーンは、無音区間を含むシーンであり、第２の所定の条件を満たすシーンは、第１のシーン〜第４のシーンである。シーン検出部１６２は、録画部２２２から送信される無音区間検出信号を受信することで、第１の所定の条件を満たすシーンを検出し、録画部２２２から送信される特定シーン検出信号を受信することで、第２の所定の条件を満たすシーンを検出する。
【００７３】
のりしろ期間算定部１７２は、予約録画番組の番組期間のうち、一の記録媒体２３と、他の一の記録媒体２３との双方に録画させるのりしろ期間を算定する。実施の形態２において、のりしろ期間算定部１７２は、録画の対象とする予約録画番組の内容に基づいて、のりしろ期間の算定を行う。より具体的には、のりしろ期間算定部１７２は、シーン検出部１６２が、初期のりしろ期間中において、第１の所定の条件を満たすシーンを検出した場合、または、第２の所定の条件を満たすシーンを検出した場合に、その検出に基づいて、そのシーンの検出時点をのりしろ期間の終了時点として、のりしろ期間の算定を行う。
【００７４】
［考察］
実施の形態１に係る録画制御装置１０は、初期のりしろ期間中において、実質的にＣＭが開始されたタイミングがのりしろ期間の終了時点となる構成例であった。これに対して、上記構成の録画制御装置１０２では、初期のりしろ期間中において、実質的にＣＭが開始されたタイミングがのりしろ期間の終了時点となるのに加えて、初期のりしろ期間中において、第１のシーン〜第４のシーンが開始されたタイミングも、のりしろ期間の終了時点となる。このため、録画制御装置１０２を利用する録画システム１Ａは、実施の形態１に係る録画システム１よりもさらに、第１の記録媒体２３Ａ、第２の記録媒体２３Ｂ、又は／及び、第３の記録媒体２３Ｃの記憶容量を、効率的に利用することができる。
【００７５】
（実施の形態３）
ここでは、実施の形態１に係る録画システム１から、その構成の一部が変更された、実施の形態３に係る録画システムについて説明する。
【００７６】
［録画システムの構成］
図７は実施の形態３に係る録画システム１Ｂの構成を示すブロック図である。
【００７７】
図７に示されるように、録画システム１Ｂは、実施の形態１に係る録画システム１から、割り当て決定部１３が割り当て決定部１３３に変更されている。また、この変更に伴い、録画制御装置１０が録画制御装置１０３に変更されている。
【００７８】
割り当て決定部１３３は、実施の形態１に係る割り当て決定部１３から、録画可能期間取得部１４によって取得された、第１の録画可能期間と、第２の録画可能期間と、第３の録画可能期間とに加えて、さらに、過去に録画された番組の内容にも基づいて番組の分割を行うように変更されている。
【００７９】
割り当て決定部１３３は、一の番組の分割を行う際に、録画システム１Ｂに含まれる各制御部２４に、過去に録画した番組の中に、その一の番組に関連する番組の有無を問い合わせる。実施の形態３において、関連する番組とは、番組の放送時間帯が等しく、番組名の少なくとも一部が同名となる番組のことをいう。例えば、毎平日に帯番組として放送されている同名の情報番組、毎週同じ時間帯に放送されている同名のドラマ番組等が、関連する番組に該当する。割り当て決定部１３３は、１以上の関連する番組が録画されていた場合には、それら関連する番組が録画された記録媒体２３を含む録画再生機２０に含まれる制御部２４から、関連する番組のそれぞれにおいて、無音区間が検出された時刻を示す無音区間時刻情報を取得する。そして、割り当て決定部１３３は、取得した無音区間時刻情報から、分割の対象とする一の番組において無音区間が挿入されるであろう時間帯（以下、「推定無音区間時間帯」とも呼ぶ。）を推定する。割り当て決定部１３３は、推定無音区間時間帯に基づいて、のりしろ期間の適切な長さ（以下、「のりしろ長」とも呼ぶ。）を算定する。例えば、割り当て決定部１３３は、推定無音区間時間帯が、３分の幅に収まっている場合には、のりしろ長を５分と算定してもよい。そして、割り当て決定部１３３は、第１の録画可能期間と、第２の録画可能期間と、第３の録画可能期間とに加えて、推定無音区間時間帯と、のりしろ長と、第１の録画可能容量と、第２の録画可能容量と、第３の録画可能容量とにも基づいて、対象とする番組のどの部分をどの記録媒体２３に記録させるかを決定する。例えば、割り当て決定部１３３は、最も録画期間が短くなる番組の部分を、最も録画可能容量の少ない記録媒体２３に録画させるように、番組の分割を行ってもよい。
【００８０】
［考察］
上記構成の録画制御装置１０３によると、過去に録画された関連する番組において、無音区間が検出されたタイミング、すなわち、実質的にＣＭが開始されたタイミングに基づいて、録画対象とする番組のどの部分をどの記録媒体２３に記録させるかが決定される。このため、録画システム１Ｂは、録画対象とする番組の録画が、いずれかの記録媒体２３の容量不足によって停止させられてしまう可能性を低減し得る。
【００８１】
（実施の形態４）
ここでは、実施の形態１に係る録画システム１から、その構成の一部が変更された、実施の形態４に係る録画システムについて説明する。
【００８２】
［録画システムの構成］
図８は実施の形態４に係る録画システム１Ｃの構成を示すブロック図である。
【００８３】
図８に示されるように、録画システム１Ｃは、実施の形態１に係る録画システム１から、割り当て決定部１３が割り当て決定部１３４に変更され、のりしろ期間算定部１７がのりしろ期間算定部１７４に変更され、録画期間算定部１８が録画期間算定部１８４に変更され、連続再生部１９が連続再生部１９４に変更されている。また、これらの変更に伴い、録画制御装置１０が録画制御装置１０４に変更されている。
【００８４】
割り当て決定部１３４は、実施の形態１に係る割り当て決定部１３と同様に、予約録画番組の録画を行う期間の割り当てを行う。そして、割り当て決定部１３４は、最初の期間が割り当てられた記録媒体２３を含む録画再生機２０に含まれる制御部２４に対して、割り当てた期間を示す第１の初期割り当て期間情報を送信し、最初の期間以外の期間が割り当てられた記録媒体２３を含む録画再生機２０に含まれる制御部２４のそれぞれに対して、割り当てた期間を示す第２の初期割り当て期間情報を送信する。第１の初期割り当て期間情報を受信した各制御部２４は、予約録画番組の番組期間のうち、第１の初期割り当て期間情報によって示される期間分の予約録画を行う。また、第２の初期割り当て期間情報を受信した各制御部２４は、予約録画番組の番組期間のうち、第２の初期割り当て期間情報によって示される期間分の予約録画を、スタンバイ状態とする。ここで、予約録画のスタンバイ状態とは、予約録画開始の時間となっても録画を開始せずに録画開始を保留し、予約録画開始の時点以降においてスタンバイ状態を解除する旨の信号を受信すると、その受信時点で保留を解除して、その受信時点から予約録画の終了の時点までの録画を行う状態のことをいう。
【００８５】
のりしろ期間算定部１７４は、実施の形態１に係るのりしろ期間算定部１７が行うのりしろ期間の算定とは異なる算定方法で、一の記録媒体２３と、他の一の記録媒体２３との双方に録画させるのりしろ期間を算定する。すなわち、のりしろ期間算定部１７４は、シーン検出部１６が、初期のりしろ期間中において、所定の条件を満たすシーンを検出した場合に、その検出に基づいて、そのシーンの検出時点をのりしろ期間の開始時点として、のりしろ期間の算定を行う。
【００８６】
図９は、のりしろ期間算定部１７４が、一の予約録画番組の番組期間のうち、第１の記録媒体２３Ａと、第２の記録媒体２３Ｂとの双方に録画させるのりしろ期間を算定する様子の一例を示す模式図である。図９に示される例は、割り当て決定部１３４によって、一の予約録画番組の録画を行う期間が、第１の初期録画期間３０１（１３：００〜１３：４０の期間）と、第２の初期録画期間３０２（１３：３０〜１４：００の期間）とに分割されて、それぞれが、第１の記録媒体２３Ａと、第２の記録媒体２３Ｂとに割り当てられている場合に、シーン検出部１６が、初期のりしろ期間（１３：３０〜１３：４０の期間）中において、無音区間を含むシーン（１３：３５の時点）を検出したときの例となっている。
【００８７】
図９に示されるように、初期のりしろ期間中の１３：３５に、シーン検出部１６によって、無音区間を含むシーン、すなわち、実質的にＣＭが開始されるシーンが検出されると、のりしろ期間算定部１７４は、そのシーンの検出時点である１３：３５をのりしろ期間の開始時点として、のりしろ期間の算定を行う。すなわち、のりしろ期間算定部１７４は、実質的にＣＭが開始されるシーンが検出された時点である１３：３５から、初期のりしろ期間の終了時点である１３：４０までを、のりしろ期間（１３：３５〜１３：４０の期間）として算定する。
【００８８】
再び図８に戻って、録画制御装置１０４の構成についての説明を続ける。
【００８９】
録画期間算定部１８４は、実施の形態１に係る録画期間算定部１８と同様に、のりしろ期間算定部１７４がのりしろ期間を算定した場合に、予約録画番組の少なくとも一部を対象として、一の記録媒体２３に録画させる、のりしろ期間を録画期間の最後の部分に含む一の録画期間と、他の一の記録媒体２３に録画させる、のりしろ期間を録画期間の最初の部分に含む他の一の録画期間とを算定する。そして、録画期間算定部１８４は、一の録画期間と他の一の録画期間とを算定すると、他の一の記録媒体２３を含む録画再生機２０に含まれる制御部２４に対して、予約録画のスタンバイ状態を解除する旨を示すスタンバイ解除信号を送信する。スタンバイ解除信号を受信した制御部２４は、予約録画のスタンバイ状態を解除する。この予約録画のスタンバイ状態の解除により、他の一の録画期間の録画が開始される。
【００９０】
図９に示される例において、録画期間算定部１８４は、第１の初期録画期間３０１の開始時点（１３：００）から第１の初期録画期間３０１の終了時点（１３：４０）までの期間、すなわち、第１の初期録画期間３０１そのものを、第１の記録媒体２３Ａに録画させる第１の録画期間（１３：００〜１３：４０の期間）として算定し、のりしろ期間の開始時点（１３：３５）から第２の初期録画期間３０２の終了時点（１４：００）までの期間を、第２の記録媒体２３Ｂに記録させる第２の録画期間３０２Ｂ（１３：３５〜１４：００の期間）として算定する。
【００９１】
再び図８に戻って、録画制御装置１０４の構成についての説明を続ける。
【００９２】
連続再生部１９４は、入出力部１２によって、番組の再生が受け付けられると、その番組を録画した記録媒体２３を含む録画再生機２０に含まれる制御部２４に対して、その番組を再生させる再生信号を送信する。特に、連続再生部１９４は、入出力部１２によって、複数の記録媒体２３に分割されて録画された番組の再生が受け付けられた場合には、その番組の一部分を録画した記録媒体２３を含む録画再生機２０に含まれる制御部２４のそれぞれに対して、その番組をシームレスに再生させる再生信号を送信する。より具体的は、連続再生部１９４は、再生対象となる番組について、先行する第１の録画期間の部分が一の記録媒体２３に録画され、その先行する第１の録画期間に続いて後行する第２の録画期間の部分が他の一の記録媒体２３に録画されている場合に、先に、先行する第１の録画期間の最初の部分から、後行する第２の録画期間の最初の部分までを再生し、次に、その再生に連続して、後行する第２の録画期間の全体を再生する旨を示す再生信号を、一の記録媒体２３を含む録画再生機２０に含まれる制御部２４と、他の一の記録媒体２３を含む録画再生機２０に含まれる制御部２４とに送信する。すると、再生信号を受信した各制御部２４は、再生対象となる番組がシームレスに再生されるように、自録画再生機２０に含まれる記録媒体２３に録画されている、その番組の録画部分を再生させる。
【００９３】
図１０は、一の番組が、先行する第１の録画期間３０１Ｂ（１３：００〜１３：４０の期間）と、後行する第２の録画期間３０２Ｂ（１３：３５〜１４：００の期間）とに分割されて、第１の録画期間３０１Ｂの部分が第１の記録媒体２３Ａに録画され、第２の録画期間３０２Ｂの部分が第２の記録媒体２３Ｂに録画された場合において、その一の番組がシームレスに再生される様子の一例を示す模式図である。図１０に示されるように、一の番組は、まず、第１の録画期間３０１Ｂのうち、最初のシーンの部分から第２の録画期間３０２Ｂの最初のシーン（１３：３５の時点）まで再生され、次に、連続して、第２の録画期間３０２Ｂの全体が再生される。
【００９４】
［考察］
上記構成の録画制御装置１０４によると、実施の形態１に係る録画制御装置１０と同様に、録画制御装置１０４によって複数の記録媒体に分割され録画された番組がシームレスに再生される場合において、再生における記録媒体２３の切り替えが、無音区間が検出されたタイミング、すなわち、実質的にＣＭが開始されたタイミングで行われる。このため、この番組を視聴する視聴者は、再生における記録媒体２３の切り替え時に、例え映像が乱れたとしても、この番組に対して覚える違和感が低減される。また、録画制御装置１０４によると、実施の形態１に係る録画制御装置１０と同様に、のりしろ期間を、予め定められた初期のりしろ期間Ｔ１よりも短い期間に調整することができる。このため、録画システム１Ｃは、実施の形態１に係る録画システム１と同様に、第１の記録媒体２３Ａ、第２の記録媒体２３Ｂ、又は／及び、第３の記録媒体２３Ｃの記憶容量を、効率的に利用することができる。
【００９５】
（実施の形態５）
ここでは、録画システム１が、一の予約録画番組を、３つ以上の録画期間に分割して、第１の記録媒体２３Ａと、第２の記録媒体２３Ｂと、第３の記録媒体２３Ｃとに録画させる具体的なケース（以下、「具体ケース」とも呼ぶ。）について説明する。
【００９６】
図１１は、具体ケースにおける、予約録画番組と、第１の記録媒体２３Ａにおける録画可能期間と、第２の記録媒体２３Ｂにおける録画可能期間と、第３の記録媒体２３Ｃにおける録画可能期間との関係を示す模式図である。
【００９７】
図１１からわかるように、この具体ケースでは、予約録画番組を、３つ以上の録画期間に分割しないと、この予約録画番組を録画できない。
【００９８】
図１２は、具体ケースにおいて、予約録画番組を、３つの録画期間に分割して第１の記録媒体２３Ａと、第２の記録媒体２３Ｂと、第３の記録媒体２３Ｃとに録画させる様子の一例を示す模式図である。
【００９９】
図１３は、具体ケースにおいて、予約録画番組を、４つの録画期間に分割して第１の記録媒体２３Ａと、第２の記録媒体２３Ｂと、第３の記録媒体２３Ｃとに録画させる様子の一例を示す模式図である。
【０１００】
図１２と図１３とを比較することで明らかなように、予約録画番組を、３つの録画期間に分割して録画させる方が、４つの録画期間に分割して録画させるよりも、第１の記録媒体２３Ａと、第２の記録媒体２３Ｂと、第３の記録媒体２３Ｃとでトータルに録画する期間が、のりしろ期間Ｃの分だけ短くなる。同様に、予約録画番組を、３つの録画期間に分割して録画させる方が、５つ以上の録画期間に分割して録画させるよりも、第１の記録媒体２３Ａと、第２の記録媒体２３Ｂと、第３の記録媒体２３Ｃとでトータルに録画する期間が短くなる。すなわち、具体ケースでは、予約録画番組を、４つ以上の録画期間に分割して録画させずに、３つの録画期間に分割して録画させることで、第１の記録媒体２３Ａと、第２の記録媒体２３Ｂと、第３の記録媒体２３Ｃとでトータルに録画する期間を最も短くすることができる。
【０１０１】
実施の形態１において前述した通り、割り当て決定部１３は、予約録画番組の分割方法が複数存在する場合には、最も分割数が少なくなるように、予約録画を行う期間の割り当てを行う。すなわち、割り当て決定部１３は、具体ケースでは、図１２に示されるように、予約録画番組を、３つの録画期間に分割する。従って、録画システム１は、具体ケースにおいて、第１の記録媒体２３Ａと、第２の記録媒体２３Ｂと、第３の記録媒体２３Ｃとでトータルに録画する期間を最も短くすることができる。
【０１０２】
（実施の形態６）
ここでは、実施の形態１に係る録画システム１から、その構成の一部が変更された、実施の形態６に係る録画システムについて説明する。
【０１０３】
［録画システムの構成］
図１４は、実施の形態６に係る録画システム１Ｅの構成を示すブロック図である。
【０１０４】
図１４に示されるように、録画システム１Ｅは、実施の形態１に係る録画システム１から、割り当て決定部１３が割り当て決定部１３６に変更され、録画期間算定部１８が録画期間算定部１８６に変更されている。また、これらの変更に伴い、録画制御装置１０が録画制御装置１０６に変更されている。
【０１０５】
割り当て決定部１３６は、実施の形態１に係る割り当て決定部１３から、一の記録媒体２３と、他の一の記録媒体２３とに一の共通の期間が存在し、かつ、その一の共通の期間が初期のりしろ期間Ｔ１よりも短い場合に行う予約録画番組の分割方法が異なるように変更されている。すなわち、割り当て決定部１３６は、一の記録媒体２３と、他の一の記録媒体２３とに一の共通の期間が存在し、かつ、その一の共通の期間が初期のりしろ期間Ｔ１よりも短い場合に、予約録画番組を、一の記録媒体２３に録画の対象として割り当てる第１の期間と、他の一の記録媒体に録画の対象として割り当てる第２の期間と、更なる他の一の記録媒体に録画の対象として割り当てる第３の期間とに分割する。そして、この分割の際に、第１の期間と第２の期間と第３の期間とに、上記一の共通の期間を含め、かつ、第３の期間の長さが初期のりしろ期間Ｔ１となるように分割を行う。
【０１０６】
図１５は、割り当て決定部１３６が、一の予約録画番組の予約録画を行う期間を、複数の記録媒体２３に割り当てる様子の一例を示す模式図である。
【０１０７】
図１５に示されるように、この例では、予約録画番組を、３つ以上の録画期間に分割しないと、この予約録画番組を録画できない。このため、割り当て決定部１３６は、予約録画番組を、３つの録画期間に分割する。一方で、第１の記録媒体２３Ａの録画可能期間と、第２の記録媒体２３Ｂの録画可能期間との共通の期間（Ｔ３）が、初期のりしろ期間Ｔ１（ここでは１０分）よりも短い５分しかない。これらのことから、割り当て決定部１３６は、予約録画番組を、上記共通の期間を含む、第１の記録媒体２３Ａに録画の対象として割り当てる第１の期間３０５Ａと、上記共通の期間を含む、第２の記録媒体２３Ｂに録画の対象として割り当てる第２の期間３０５Ｂと、上記共通の期間を含み、期間の長さがＴ１となる、第３の記録媒体２３Ｃに録画の対象として割り当てる第３の期間３０５Ｃとに分割する。
【０１０８】
再び、図１４に戻って、録画制御装置１０６の構成についての説明を続ける。
【０１０９】
録画期間算定部１８６は、実施の形態１に係る録画期間算定部１８から、一の記録媒体２３と、他の一の記録媒体２３とに一の共通の期間が存在し、かつ、その一の共通の期間が初期のりしろ期間Ｔ１よりも短い場合に行う録画期間の算定方法が異なるように変更されている。すなわち、録画期間算定部１８６は、一の記録媒体２３と、他の一の記録媒体２３とに一の共通の期間が存在し、かつ、その一の共通の期間が初期のりしろ期間Ｔ１よりも短い場合において、割り当て決定部１３６が、予約録画番組を、一の記録媒体２３に録画の対象として割り当てる第１の期間と、他の一の記録媒体２３に録画の対象として割り当てる第２の期間と、更なる他の一の記録媒体２３に録画の対象として割り当てる第３の期間とに分割すると、第１の期間を、一の記録媒体２３に録画させる第１の録画期間として算定し、第２の期間を、他の一の記録媒体２３に録画させる第２の録画期間として算定し、第３の期間を、更なる他の一の記録媒体２３に録画させる第３の録画期間として算定する。
【０１１０】
図１５の例において、録画期間算定部１８６は、第１の期間３０５Ａを、第１の録画期間として算定し、第２の期間３０５Ｂを、第２の録画期間として算定し、第３の期間３０５Ｃを、第３の録画期間として算定する。
【０１１１】
［考察］
上記構成の録画システム１Ｅによると、第１の記録媒体２３Ａの録画可能期間と、第２の記録媒体２３Ｂの録画可能期間とに、一の共通の期間が存在し、かつ、その一の共通の期間が、のりしろ期間として十分でない可能性がある長さしかない場合には、第３の記録媒体２３Ｃに、のりしろ期間として利用可能な期間の録画が行われる。このため、予約録画番組が録画された後に、その一の共通期間が、のりしろ期間として利用可能でないことがわかったとしても、第３の記録媒体２３Ｃに録画された期間をのりしろ期間として利用することができる。また、逆に、予約録画番組が録画された後に、その一の共通期間が、のりしろ期間として利用可能であることがわかった場合には、第３の記録媒体２３Ｃに録画された期間を削除することで、第３の記録媒体２３Ｃの記憶容量を、効率的に利用することができる。
【０１１２】
以上、本発明の実施の形態に係る録画再生装置について説明したが、本発明は、この実施の形態に限定されるものではない。
【０１１３】
例えば、実施の形態１において、録画制御装置１０と、第１の録画再生機２０Ａとは、互いに別装置であるかの如く説明した。しかしながら、録画システム１において、録画制御装置１０の機能と、第１の録画再生機２０Ａの機能とを実現することができれば、録画制御装置１０と、第１の録画再生機２０Ａとは、互いに別装置である構成に限定されない。例えば、第１の録画再生機２０Ａが録画制御装置１０に含まれる構成の例が考えられる。この構成の場合には、例えば、録画制御装置１０は、制御部１１と、入出力部１２と、割り当て決定部１３と、録画可能期間取得部１４と、通信部１５と、シーン検出部１６と、のりしろ期間算定部１７と、録画期間算定部１８と、連続再生部１９とに加えて、受信部２１Ａと、録画部２２Ａと、第１の記録媒体２３Ａと、制御部２４Ａと、再生部２５Ａと、通信部２６Ａとを含んで構成される。また、逆に、例えば、録画制御装置１０が第１の録画再生機２０Ａに含まれる構成の例も考えられる。この構成の場合には、例えば、第１の録画再生機２０Ａは、受信部２１Ａと、録画部２２Ａと、第１の記録媒体２３Ａと、制御部２４Ａと、再生部２５Ａと、通信部２６Ａとに加えて、制御部１１と、入出力部１２と、割り当て決定部１３と、録画可能期間取得部１４と、通信部１５と、シーン検出部１６と、のりしろ期間算定部１７と、録画期間算定部１８と、連続再生部１９とを含んで構成される。
【０１１４】
また、例えば、実施の形態１において、録画部２２は、番組を録画の対象とするとして説明した。しかしながら、録画部２２の録画の対象は、番組全体に限定される必要はない。例えば、録画部２２は、番組の少なくとも一部を録画の対象としても構わない。
【０１１５】
また、例えば、実施の形態２において、のりしろ期間算定部１７２は、初期のりしろ期間中において、第１の所定のシーンを検出した場合、または、第２の所定の条件を満たすシーンを検出した場合に、その検出時点をのりしろ期間の終点として、のりしろ期間の算定を行う構成について説明した。これに対して、のりしろ期間算定部１７２の他の構成例として、のりしろ期間算定部１７２は、初期のりしろ期間中において、第１の所定のシーンを検出した場合、または、初期のりしろ期間の開始時点から所定期間Ｔ２（Ｔ２＜Ｔ１）経過した後において、第２の所定の条件を満たすシーンを検出した場合に、その検出時点をのりしろ期間の終点として、のりしろ期間の算定を行う構成例も考えられる。
【０１１６】
また、上記の各装置は、具体的には、マイクロプロセッサ、ＲＯＭ、ＲＡＭ、ハードディスクドライブ、ディスプレイユニット、キーボード、マウスなどから構成されるコンピュータシステムとして構成されても良い。ＲＡＭまたはハードディスクドライブには、コンピュータプログラムが記憶されている。マイクロプロセッサが、コンピュータプログラムに従って動作することにより、各装置は、その機能を達成する。ここでコンピュータプログラムは、所定の機能を達成するために、コンピュータに対する指令を示す命令コードが複数個組み合わされて構成されたものである。
【０１１７】
さらに、上記の各装置を構成する構成要素の一部または全部は、１個のシステムＬＳＩ（Ｌａｒｇｅ  Ｓｃａｌｅ  Ｉｎｔｅｇｒａｔｉｏｎ：大規模集積回路）から構成されているとしても良い。システムＬＳＩは、複数の構成部を１個のチップ上に集積して製造された超多機能ＬＳＩであり、例えば、マイクロプロセッサ、ＲＯＭ、ＲＡＭなどを含んで構成されるコンピュータシステムを含む。この場合、ＲＯＭには、コンピュータプログラムが記憶されている。マイクロプロセッサが、コンピュータプログラムに従って動作することにより、システムＬＳＩは、その機能を達成する。
【０１１８】
さらにまた、上記の各装置を構成する構成要素の一部または全部は、各装置に脱着可能なＩＣカードまたは単体のモジュールから構成されているとしても良い。ＩＣカードまたはモジュールは、マイクロプロセッサ、ＲＯＭ、ＲＡＭなどから構成されるコンピュータシステムである。ＩＣカードまたはモジュールは、上記の超多機能ＬＳＩを含むとしても良い。マイクロプロセッサが、コンピュータプログラムに従って動作することにより、ＩＣカードまたはモジュールは、その機能を達成する。このＩＣカードまたはこのモジュールは、耐タンパ性を有するとしても良い。
【０１１９】
また、本発明は、上記に示す方法であるとしても良い。また、本発明は、これらの方法をコンピュータにより実現するコンピュータプログラムであるとしても良いし、上記コンピュータプログラムからなるデジタル信号であるとしても良い。
【０１２０】
さらに、本発明は、上記コンピュータプログラムまたは上記デジタル信号をコンピュータ読み取り可能な非一時的な記録媒体、例えば、フレキシブルディスク、ハードディスク、ＣＤ−ＲＯＭ、ＭＯ、ＤＶＤ、ＤＶＤ−ＲＯＭ、ＤＶＤ−ＲＡＭ、ＢＤ（Ｂｌｕ−ｒａｙ（登録商標）  Ｄｉｓｃ）、半導体メモリなどに記録したものとしても良い。また、これらの非一時的な記録媒体に記録されている上記デジタル信号であるとしても良い。
【０１２１】
また、本発明は、上記コンピュータプログラムまたは上記デジタル信号を、電気通信回線、無線または有線通信回線、インターネットを代表とするネットワーク、データ放送等を経由して伝送するものとしても良い。
【０１２２】
また、本発明は、マイクロプロセッサとメモリを備えたコンピュータシステムであって、上記メモリは、上記コンピュータプログラムを記憶しており、上記マイクロプロセッサは、上記コンピュータプログラムに従って動作するとしても良い。
【０１２３】
また、上記プログラムまたは上記デジタル信号を上記非一時的な記録媒体に記録して移送することにより、または上記プログラムまたは上記デジタル信号を上記ネットワーク等を経由して移送することにより、独立した他のコンピュータシステムにより実施するとしても良い。
【０１２４】
さらに、上記実施の形態及び上記変形例をそれぞれ組み合わせるとしても良い。
【産業上の利用可能性】
【０１２５】
本発明は、番組の録画を制御する装置に広く利用可能である。
【符号の説明】
【０１２６】
１、１Ａ、１Ｂ、１Ｃ、１Ｅ  録画システム
１０、１０２、１０３、１０４、１０６  録画制御装置
１１、２４、２４Ａ、２４Ｂ、２４Ｃ  制御部
１２  入出力部
１３、１３３、１３４、１３６  割り当て決定部
１４  録画可能期間取得部
１５、２６Ａ、２６Ｂ、２６Ｃ  通信部
１６、１６２  シーン検出部
１７、１７２、１７４  のりしろ期間算定部
１８、１８４、１８６  録画期間算定部
１９、１９４  連続再生部
２０  録画再生機
２０Ａ、２０２Ａ  第１の録画再生機
２０Ｂ、２０２Ｂ  第２の録画再生機
２０Ｃ、２０２Ｃ  第３の録画再生機
２１Ａ、２１Ｂ、２１Ｃ  受信部
２２、２２Ａ、２２Ｂ、２２Ｃ、２２２Ａ、２２２Ｂ、２２２Ｃ  録画部
２３  記録媒体
２３Ａ  第１の記録媒体
２３Ｂ  第２の記録媒体
２３Ｃ  第３の記録媒体
２５Ａ、２５Ｂ、２５Ｃ  再生部
【図１】
2019213089.tif 000003
【図２】
2019213089.tif 000004
【図３】
2019213089.tif 000005
【図４】
2019213089.tif 000006
【図５】
2019213089.tif 000007
【図６】
2019213089.tif 000008
【図７】
2019213089.tif 000009
【図８】
2019213089.tif 000010
【図９】
2019213089.tif 000011
【図１０】
2019213089.tif 000012
【図１１】
2019213089.tif 000013
【図１２】
2019213089.tif 000014
【図１３】
2019213089.tif 000015
【図１４】
2019213089.tif 000016
【図１５】
2019213089.tif 000017